(57)【要約】【課題】ロープを案内する際、ロープが水ですべる等して上手く案内することができなかった。【解決手段】回転可能な回転体の外周面に、補助体を設けた被洗浄物案内体。補助体は、回転体の外周面に、羽根材を所定間隔で設けたもの、又は繊維材を多数本突設したもの、又は多数本の細長棒状体を突設したもの、又はゴム、皮革等の摩擦材を備えたもの又は突起を形成したものとした。２本の回転体を斜めに交差させて組み合わせ、又は横向きに設けた回転体の軸方向両端側に他の回転体を縦向きに配置し、又は回転体を偏心回転可能に設けたものした。駆動体による強制回転を可能とした。巻上げドラムと、搬送体と、洗浄具を筐体内に設け、筐体に入口と出口とを形成し、筐体側面に側面導入口を形成し、前記被洗浄物案内体を筺体の出口よりも外側に設けた洗浄装置。その側面導入口に多数本の繊維状のカーテン材を配列した洗浄液飛散防止カーテンを設けた。【選択図】      図１
2004350530.tif 000002
【特許請求の範囲】
【請求項１】
洗浄装置の出口付近又は出口より外側に回転可能に設けられて、洗浄装置で洗浄した被洗浄物を洗浄装置の外に送り出す被洗浄物案内体において、被洗浄物案内体は回転可能な丸棒、丸パイプ等の回転体の外周面に、被洗浄物を外に送り出し易くするための補助体を設けたことを特徴とする被洗浄物案内体。
【請求項２】
請求項１記載の被洗浄物案内体において、補助体は複数枚の板状の羽根材が回転体の外周面周方向に所定間隔で放射状に設けられたもの、又は回転体の外周面全般に繊維材が多数本突設されたもの、又は回転体の外周面から外側に多数本の細長棒状体が突設されたもの、又はゴム、皮革等の摩擦材であることを特徴とする被洗浄物案内体。
【請求項３】
請求項１又は請求項２記載の被洗浄物案内体において、被洗浄物案内体は二本の回転体が斜めに交差して組み合わせられたものであることを特徴とする被洗浄物案内体。
【請求項４】
請求項１又は請求項２記載の被洗浄物案内体において、被洗浄物案内体は横向きに設けた回転体の軸方向両端側に他の回転体が縦向きに配置されたものであることを特徴とする被洗浄物案内体。
【請求項５】
請求項１又は請求項２記載の被洗浄物案内体において、回転体が偏心回転可能に設けられたことを特徴とする被洗浄物案内体。
【請求項６】
請求項１乃至請求項５のいずれかに記載の被洗浄物案内体において、被洗浄物案内体が駆動体によって強制回転させられることを特徴とする被洗浄物案内体。
【請求項７】
被洗浄物を巻き上げる巻上げドラムと、巻上げドラムで巻上げられた被洗浄物を挟んで搬送する搬送体と、搬送体で搬送中の被洗浄物に液体を噴射して被洗浄物を洗浄する洗浄具が筐体内に設けられ、筐体に巻上げドラムで巻上げられた被洗浄物が導入される入口と、洗浄具で洗浄済みの被洗浄物が送り出される出口とが形成され、筐体の入口と出口との間の側壁面に洗浄物を出し入れ可能な側面導入口が入り口と出口に連通して形成され、前記請求項１乃至請求項７のいずれかに記載の被洗浄物案内体が筺体の出口よりも外側に設けられたことを特徴とする洗浄装置。
【請求項８】
請求項７記載の洗浄装置において、側面導入口に多数本の繊維状のカーテン材を配列して、被洗浄物を洗浄する液体が側面導入口から外に飛散するのを防止する洗浄液飛散防止カーテンを設けたことを特徴とする洗浄装置。
【発明の詳細な説明】
【０００１】
【発明の属する技術分野】
本発明は、ロープに吊下げて耳吊り養殖した帆立貝、あこや貝、牡蠣、或は網篭に入れて海中で養殖した貝、海中の昆布、海中に吊したロープや網等に付着している汚れ等々を液体で洗浄除去するのに使用される洗浄装置に組み込まれる被洗浄物案内体と、それを組み込んだ洗浄装置に関するものであり、洗浄装置は陸上で使用できるのは勿論のこと、船に搭載して船上で洗浄するのに特に適するものである。
【０００２】
【従来の技術】
洗浄装置として、従来は、図２６に示すように、引き上げドラムＡにより海中から引き上げられた被洗浄物（例えば、ロープに吊り下げられた帆立貝）Ｂを、網状回転ドラムの搬送体Ｃとその上に配置した押し具Ｄとの間に挟み、搬送体Ｃを回転させて搬送し、搬送中の被洗浄物Ｂに搬送体Ｃの上と内部に配置した噴射具Ｅから液体を噴射して被洗浄物Ｂを洗浄し、洗浄済みの被洗浄物ＢをシュータＦに送り出し、シュータＦに立設した回転式の被洗浄物案内体Ｇにより案内して海中に送り出されるようにしたものがある。図２６の洗浄装置は装着具装着部Ｈにより船舶の縁Ｉに取り付けられており、海中から引き上げた被洗浄物Ｂを船上で洗浄して海中に送り込まれるようにしてある。（特許文献１参照）。
【０００３】
【特許文献１】
特開２０００−０２３５９１号公報。
【０００４】
【発明が解決しようとする課題】
従来の洗浄装置の被洗浄物案内体は、被洗浄物の送り出しに伴って回転するものであったり、モーター等の駆動源により強制回転するものであった。いずれにしても外周面が平滑であるため、水で濡れている被洗浄物がスリップして送り出しが不十分になることが多々あり、その場合、ロープが絡まるとか、貝がロープから外れかかったり、外れたりすることがあった。このため、絡まったロープを解くのが面倒であり、洗浄作業が手間取るとか、中断するといった不都合があった。また、外れかかった貝は海中に落下する確率が高く、養殖の歩留まり減少の一因となり、ロープから外れた貝は海中に落下して養殖の歩留まりが低下する。外れかかった貝は落下する確率が高く、歩留まり減少の一因となる。
【０００５】
【課題を解決するための手段】
本発明の目的は、洗浄済みの被洗浄物を確実に送り出すことのできる被洗浄物案内体と、それを用いた洗浄装置を提供することにある。
【０００６】
本件出願の洗浄物案内体は、洗浄装置の出口付近又は出口より外側に回転可能に設けられて、洗浄装置で洗浄された被洗浄物を洗浄装置の外に送り出す被洗浄物案内体において、被洗浄物案内体は回転可能な丸棒、丸パイプ等の回転体の外周面に、被洗浄物を外に送り出し易くするための補助体を設けたものである。補助体は複数枚の板状の羽根材が回転体の外周面周方向に所定間隔で放射状に設けられたもの、又は回転体の外周面全般に繊維材が多数本突設されたもの、又は回転体の外周面から外側に多数本の細長棒状体が突設されたもの、又はゴム、皮革等の摩擦材とすることができる。被洗浄物案内体は二本の回転体を斜めに交差させて組み合わせたものとすることができる。被洗浄物案内体は横向きに設けた回転体の軸方向両端側に他の回転体を縦向きに配置することもできる。回転体は偏心回転可能に設けることもできる。被洗浄物案内体は駆動体によって強制回転させることもできる。
【０００７】
本件出願の洗浄装置は、被洗浄物を巻き上げる巻上げドラムと、巻上げドラムで巻上げられた被洗浄物を挟んで搬送する搬送体と、搬送体で搬送中の被洗浄物に液体を噴射して被洗浄物を洗浄する洗浄具が筐体内に設けられ、筐体に巻上げドラムで巻上げられた被洗浄物が導入される入口と、洗浄具で洗浄済みの被洗浄物が送り出される出口とが形成され、筐体の入口と出口との間の側壁面に被洗浄物を出し入れ可能な側面導入口が入り口と出口に連通して形成され、前記被洗浄物案内体が筺体の出口よりも外側に設けられたものである。洗浄装置は側面導入口に多数本の繊維状のカーテン材を配列して、被洗浄物を洗浄する液体が側面導入口から外に飛散するのを防止する洗浄液飛散防止カーテンを設けることもできる。
【０００８】
【発明の実施の形態】
（被洗浄物案内体と洗浄装置の実施形態１）
本発明の被洗浄物案内体とそれを用いた洗浄装置の実施形態の一例を図面を参照して説明する。この実施形態では被洗浄物がロープに取付けられた帆立貝の場合であり、洗浄装置はそれを洗浄するものの場合であるが、被洗浄物はそれに限られるものではなく、ロープに吊下げて耳吊り養殖した帆立貝、あこや貝、牡蠣、或は網篭に入れて海中で養殖した貝、海中の昆布、海中に吊したロープや網等のいずれであってもよい。
【０００９】
この実施形態の被洗浄物案内体を装備した洗浄装置は、図１に示すように被洗浄物３が耳吊り養殖用のロープ２０に帆立貝２１が取り付けられたものである。この洗浄装置は被洗浄物３を搬送する無端コンベア状の搬送体１の上方に無端コンベア状の押し具２が対向して配置されて、両者間に通路９５が形成され、搬送体１の下方と押し具２の上方とに洗浄具４が設けられ、その洗浄具４から通路９５を通過する被洗浄物３に高圧の洗浄液を噴射して被洗浄物３を洗浄するものである。
【００１０】
本発明の被洗浄物案内体１２は、前記通路９５の出口１６よりも外側に設けられており、出口１６から送り出される被洗浄物３を外に送り出すものである。前記被洗浄物案内体１２は図３の様にポール状の横案内体９８とポール状の縦案内体９９とからなり、横案内体９８は搬送体１の終端部の外側に配置されている。縦案内体９９は樋状のシュータ１０の上に立設されている。この縦案内体９９はシュータ１０に回転可能に取り付けてある。縦案内体９９は図４に示すように、図示しないモータ等の駆動体によりベルト４５を掛けて強制回転させることが出来る。また、図示しないが、縦案内体９９はギアによっても強制回転させることが出来る。
【００１１】
図３に示すように前記シュータ１０は先端側を下り傾斜（図３では右側傾斜）にしてある。このためシュータ１０に垂直に取付けた縦案内体９９は上端部が右側に傾斜している。図３の搬送体１の出口９とシュータ１０との間には回収受け具１１が配置されている。この回収受け具１１は洗浄中にロープ２０から外れた帆立貝２１が搬送体１の出口９から落下する位置に配置して、その帆立貝２１を回収できるようにしてある。この回収受け具１１も樋状であり、先端に向けて下り傾斜にして、回収された帆立貝２１が自重で自動的に回収受け具１１の先端方向に落下して、その先に配置してある回収篭（図示されていない）に落下して回収されるようにしてある。これらの被洗浄物案内体１２、シュータ１０、回収受け具１１は図示されていない筐体フレームに取り付けられている。この場合、被洗浄物案内体１２、シュータ１０、回収受け具１１は図１、２に示す筐体１４の出口１６よりも外側先方に取り付けて、本発明の洗浄装置を船上に搭載固定したときに、シュータ１０の出口が海上に突出するようにしてある。被洗浄物案内体１２は横案内体９８と縦案内体９９のいずれか一方だけであってもよい。横案内体９８、縦案内体９９の取り付け箇所は、シュータ１０に限らず、出口１６から送り出されてくる被洗浄物を送り出すことが出来る位置であれば他の任意の位置に取り付けることができる。
【００１２】
被洗浄物案内体１２は図５のように二本の案内体を交差させてＶ字状に配置して、両案内体の上の空間を被洗浄物の通路とすることも出来る。また、図６のように一本の案内体を横向きに配置し、その軸方向両端側に２本の案内体を縦向きに配置して、３本の案内体で囲われた空間を被洗浄物の通路とすることも出来る。
【００１３】
被洗浄物案内体１２は図７（ａ）（ｂ）に示すように、回転軸１０２の外側の円柱状の回転体１０１の外周面に、その上端から下端に及ぶ長さの複数枚の平板状の羽根材１０４が、回転体の周方向に所定間隔で、放射状に取り付けられている。前記羽根材１０４には樹脂やスポンジ等の摩擦効果の高い材料を用いるのが好ましい。羽根材１０４は図８に示すように、回転体１０１の表面のうち軸方向中央部にのみ取り付けることも、また中央部から下端までにのみ取り付けることもできる。
【００１４】
図７（ａ）（ｂ）、図８のいずれの場合も、回転体１０１の上端にプーリー１０３が取付けられている。プーリー１０３は回転体１０１の下端にも取付けることが出来る。プーリー１０３は回転軸１０２に取付けることも出来る。プーリー１０３は回転体１０１と回転軸１０２のいずれかの上下両端に取付けることも出来る。プーリー１０３には回転ベルトを掛け、回転ベルトを図示しないモータ等の駆動体で回転させることにより回転体１０１を強制回転させることができる。回転ベルトの回転力は図１の搬送体１の駆動軸２４からとることもできる。また、図示しないが、回転体１０１は、プーリー１０３に代えてギアを備え、ギアによって強制回転させることも可能である。回転体を強制回転させる場合、搬送体１の回転と回転体１０１とが同期回転するため、搬送体１の回転により送り出される被洗浄物３が、送り出されるだけ回転体１０１の回転により外部に送り出されることになり、被洗浄物３の送りが遅れて被洗浄物３が弛んで絡まったり、被洗浄物３が強く引かれ過ぎて切れたりすることがない。また、搬送体１より回転体１０１の方をを少し早く回転させることもできる。その場合は、例えば回転体１０１の摩擦力が少ない場合等であっても、ロープ２０に張りを与えることができ、被洗浄物３の送りが遅れて被洗浄物３が弛んで絡まったりすることがなくなる。
【００１５】
（被洗浄物案内体の実施形態２）
本発明の被洗浄物案内体の他の実施形態の一例を図９（ａ）（ｂ）を参照して説明する。図９（ａ）（ｂ）の被洗浄物案内体の基本的構成は図７のものと共通するが、回転軸１１２の外周の回転体１１１を細いパイプ状にしたことにおいて異なる。回転体１１１の上端には回転体１１１を回転させるプーリー１１３が取り付けられている。プーリー１１３は回転軸１１２に取付けることも出来る。プーリー１１３は回転体１１１と回転軸１１２のいずれかの上下両端に取付けることも出来る。また、図示しないが、プーリー１１３に代えてギアを備え、ギアによって回転体１１１を強制回転させることも可能である。
【００１６】
（被洗浄物案内体の実施形態３）
本発明の被洗浄物案内体の他の実施形態の一例を図１０（ａ）（ｂ）を参照して説明する。本実施形態の被洗浄物案内体の基本的構成は前記実施形態１と共通するが、回転体１２２の外周面に設けた補助体の形状が、樹脂製の細くて硬い繊維１２４を放射状に多数本設けたものであることにおいて異なる。繊維１２４は耐水性のあるものが好ましい。繊維１２４は図１１のように回転体１２２の軸方向中央付近にのみ取り付けることもできる。また、図示してないが、回転体１２２の軸方向中央付近から下端まで取り付けることもできる。いずれの場合も、繊維１２４は回転体１２２の外周面に一本づつ植えることも出来るが、繊維１２４を植えたゴム板、樹脂板等を回転体１２２の外周面に巻きつけるようにしてもよい。
【００１７】
（被洗浄物案内体の実施形態４）
本発明の被洗浄物案内体の他の実施形態を図１２（ａ）（ｂ）を参照して説明する。この被洗浄物案内体の基本的構成は図１０のものと共通するが、回転体１３１が径の細いパイプであることにおいて図１０のものと異なる。この場合も図示してないが、繊維１３４は回転体１１２の軸方向中央付近にのみ取り付けることもできる。また、回転体１３１の軸方向中央付近から下端まで取り付けることもできる。
【００１８】
（被洗浄物案内体の実施形態５）
本発明の被洗浄物案内体の他の実施形態を図１３を参照して説明する。この被洗浄物案内体も回転軸の外周に円柱状の回転体を設けることにおいては前記各実施形態の場合と同じであり、異なるのは回転体１４１の外周面に円盤状の突起１４４が突設されたゴム板、樹脂板等を巻きつけて、その突起を補助体としたものである。突起は回転体の外周面に一つずつ成形することもできる。突起は図１４に示すように回転体１４１の表面のうち軸方向中央付近についてのみ設けることもできる。また、回転体１４１の突起は、回転体１４１の部材を裏側から打ちつける等して形成することも可能である。また、図示してないが、軸方向中央付近から下端部まで取り付けることもできる。
【００１９】
（被洗浄物案内体の実施形態６）
本発明の被洗浄物案内体の他の実施形態を図１５を参照して説明する。この実施形態の被洗浄物案内体は回転軸の外側の回転体が軸方向中央部付近でくびれており、そのくびれ部分に斜め方向に切り込みや溝を入れて補助体１５４としてある。補助体１５４は洗浄装置から送り出される被洗浄物３を引き出し易く、送り出し易くする必要があるため、切り込みや溝の本数、幅、間隔等は任意に選択することが出来る。補助体１５４はくぼみ部に切り込みや溝を設けるのではなく、くぼみ部にゴムシート、合成皮革シート等の抵抗の大きいものを張り付けるとか、切り込みや溝を形成したゴムシートや合成皮革シート等でもよい。補助体１５４は回転体１５１の外周面全体に設けることも、軸方向中央部付近から下端まで設けることもできる。
【００２０】
（被洗浄物案内体の実施形態７）
本発明の被洗浄物案内体の他の実施形態を図１６（ａ）（ｂ）を参照して説明する。この実施形態の被洗浄物案内体も設置場所や基本的構成は前記各実施形態と共通するが。それらとは次の点で異なる。回転軸１６２の外周に細いパイプを設けて回転体１６１とし、その回転体１６１の外周に多数本の細い丸棒状の補助体１６４を放射状に取り付けたものである。補助体１６４は細長の棒状であればどのような素材のものを用いることもできるが、弾性、可撓性、耐水性を備え、摩擦抵抗の大きいものにすると、洗浄装置から送り出される被洗浄物３を洗浄装置から引き出し易く、洗浄装置の外部に送り出し易くなる。補助体１６４は回転体１６１の外周面のうち軸方向中央付近にのみ設けたり、軸方向中央付近から下端部まで設けたりすることもできる。
【００２１】
（被洗浄物案内体の実施形態８）
本発明の被洗浄物案内体の他の実施形態を図１７（ａ）（ｂ）を参照して説明する。この被洗浄物案内体も設置場所や基本的構成は前記各実施形態と共通するが、それらとは次の点で異なる。即ち、回転軸１７２の外周に円柱状の回転体１７１を偏心させて取り付けて、回転軸１７２が回転すると回転体１７１が偏心回転するようにしたものである。この偏心回転により回転体１７１のうち最も偏心している箇所の偏心ストロークが大きくなり、洗浄装置から送り出される被洗浄物３の引き出し力が大きくなって、被洗浄物３を確実に引き出す事が出来、また、洗浄装置の外に送り出すことができる。この実施形態でも回転軸１７２の上端にプーリー１７３を備えている。また、図示しないが、プーリー１７３に代えてギアを備え、ギアによって回転体１７１を強制回転させることも可能である。図１７（ａ）（ｂ）では回転体１７１の外周面に繊維、細長い棒材等の補助体が設けられていないが、それらを設けることもできる。また、回転体１７１の外形を楕円形、六角形等の円形以外の形状とすることも可能である。
【００２２】
（被洗浄物案内体の他の実施形態）
前記実施形態のいずれのプーリーも、回転軸又は回転体と別体であり、それを回転軸又は回転体に装着してあるが、プーリーは図４のように回転体に直接形成することも出来る。また、図示しないが、プーリーに代えてギアを直接回転体に形成することも出来る。図４ではシュータ１０の底板を下方に折り曲げて回収口４６を形成して、洗浄中にロープ２０から外れた帆立貝２１が回収口４６から自重で落下し、その下に配置してある回収篭に回収されるようにしてある。シュータ１０は図１、２に示す筐体１４の出口１６よりも外側に取り付けて、洗浄装置を船上に搭載固定するとシュータ１０の出口が海上に突出するようにしてある。
【００２３】
本発明の被洗浄物案内体は前記した形状、構成、配置等には限られない。例えば、縦案内体９９のみを備えるようにしても良く、前記した実施形態の縦案内体９９を組み合せて使用することもできる。前記した実施形態では被洗浄物案内体１２を駆動体により強制回転させるものであるが、強制回転させるのではなく、洗浄装置から送り出される被洗浄物３により回転させられるようにすることも出来る。
【００２４】
（洗浄装置の実施形態１）
前記の各実施形態のロープの被洗浄物案内体を備える洗浄装置の実施形態の一つを図面を示して説明する。本発明の洗浄装置は、前記各実施形態中のいずれの形態のロープの被洗浄物案内体を備える場合であっても、以下の共通する構成を有する。本発明の洗浄装置は、前記のように、被洗浄物３を搬送する無端コンベア状の搬送体１の上方に無端コンベア状の押し具２が対向して配置されて、両者の間に通路９５が形成され、搬送体１の下方と押し具２の上方とに洗浄具４が設けられ、その洗浄具４から通路９５を通過する被洗浄物３に高圧の洗浄液を噴射して被洗浄物３を洗浄するものである（図１参照）。
【００２５】
搬送体１は図２０に示す搬送体駆動機構２２の外周に、図２１に示す金属製の網状の走行体２３を図３、図１９に示す様に巻き付けて回転可能としてある。この搬送体駆動機構２２は駆動軸２４の軸方向両端寄りと中央に駆動スプロケット２５が固定された駆動回転体２６と、従動軸２７の軸方向両端寄りと中央に従動スプロケット２８が回転可能に取り付けられた従動回転体２９と、駆動回転体２６と従動回転体２９との間に配置された走行体ガイド３０とから構成されている。従動スプロケット２８の径は駆動スプロケット２５の径よりも小さくしてある。走行体ガイド３０は底板のない長方形の箱状であり、上板３１の中央部に開口部３２が開口されている。
【００２６】
網状の走行体２３は図２１（ａ）（ｂ）に示すように、細長板により同じ大きさの矩形の波形に形成された金属製の走行部材３４を多数本用意し、二つの走行部材３４の波の山部３５を波の空間部３６の内側に嵌合させ、嵌合した二つの走行部材３４に図２１（ｂ）に示す様に開けられている通孔３７に連結軸３８を貫通させて嵌合部３９を回動可能に連結し、この連結の繰り返しにより多数本連結して網状にしてある。また、図示しないが、前記走行体２３の波の空間部３６は、対向する波の山部３５同士の間隔を図２１に示すものより広くして、走行体２３の進行方向に直行する方向に広くした横長の矩形に形成することも出来る。前記通孔３７は横長であり、それに連結軸３８を差込んで連結しても走行部材３４は連結軸３８を軸にして回動したり、横方向にスライドしたりできるようにしてある。一本の走行部材３４の山部３５の数は図示した数より多くても少なくてもよく、多い場合は網状の走行体２３の幅が広くなり、少ない場合は走行体２３の幅が狭くなる。また、連結する走行部材３４の本数も図示した本数より多くても少なくてもよく、多い場合は走行体２３の長さが長くなり、少ない場合は走行体２３の長さが短くなる。
【００２７】
図２１に示す走行体２３は図２０の駆動スプロケット２５と走行体ガイド３０と従動スプロケット２８の外周に図３、図１９の様に巻いて被せ、走行体２３の波の空間部３６内にそれらスプロケット２５、２８の爪（歯）を嵌入させ、走行体２３の両端部を連結して無端コンベア状の搬送体１としてある。
【００２８】
前記走行体２３の下には図１９に示す様にローラ状の底面支持具４０を配置して走行体２３の底面を上方に押し上げて走行体２３に張りをもたせる（テンションを付与する）と共に当該底面が下方へ垂れ下がるのを防止してある。
【００２９】
図１９の搬送体１は駆動軸２４をモーター等の駆動体により回転させると駆動軸２４と共に駆動スプロケット２５も回転し、その回転に伴って走行体２３が回転し、更に、従動スプロケット２８が回転して、走行体２３が駆動スプロケット２５と走行体ガイド３０と従動スプロケット２８の外周を走行回転するようにしてある。
【００３０】
搬送体１は図１、図２に示す様に筐体１４内に収容されている。この場合、図１９の駆動軸２４を筐体１４内の下部前方に回転可能に取り付け、従動軸２７を同筐体１４内の下部後方に固定する。走行体ガイド３０は図２に仮想線で示す様に筐体１４内の下部で且つ前記駆動軸２４と従動軸２７との間にビスとかボルト・ナット等の留め具４１により固定されている。
【００３１】
押し具２は図２２（ａ）に示す押し具駆動機構５０の外周に図２１に示す走行体２３を図１８、図１９に示すように巻き付けてなる。
【００３２】
図２２（ａ）に示す押し具駆動機構５０は後方従動軸５４に後方従動スプロケット５５が回転可能に取り付けられた後方従動回転体５６と、前方従動軸５７に前方従動スプロケット５８が回転可能に取り付けられた前方従動回転体５９が二枚の平行な先板６１間に固定され、駆動軸５１に駆動スプロケット５２が固定された駆動回転体５３が二枚の平行な前板６３間に回転可能に取り付けられている。二枚の平行な先板６１間には細長板状の先方補強材６２が渡され、二枚の平行な前板６３間には前方補強材６６が渡されている。
【００３３】
後方従動軸５４は図２２（ａ）（ｂ）の様に先板６１の後端寄りに開口されている横長孔６７に差し込まれて前後にスライド自在としてある。先板６１の後端寄り外面には、内面にねじ孔が形成されたブラケット６９が取り付けられており、そのブラケット６９にボルト７０がねじ込まれてボルト７０の先端面が横長孔６７から外側に突出した後方従動軸５４の突出端部に突き当てられている。このボルト７０をねじ込んで図２２（ｂ）の右側に移動させると後方従動軸５４が同方向に押されて横長孔６７に添って先方にスライドし、図１８の様に被せられている走行体２３の先端部が先方に押されて走行体２３に張り（テンション）が付与され、ボルト７０を逆回転させて後退させると後方従動軸５４へのボルト７０の押し付けが緩み、走行体２３の張りが緩む様にしてある。
【００３４】
前記前方従動軸５７の両端部は先板６１の前端寄りに開口されている丸孔に差し込んで固定してある。
【００３５】
前記駆動軸５１は前板６３の前端に開口されている丸孔に回転可能に差し込まれている。前板６３の後端部は先板６１の前端部外側に回動可能に配置され、その後端部に開口されている丸孔（図示されていない）に、先板６１よりも外側に突出した前方従動軸５７の突出端部が差し込まれている。
【００３６】
図２２（ａ）に示す様に前板６３の後端部両外側には支持アーム７１が上方に突出するように取り付けられている。この場合、支持アーム７１はその下端部に開口されている丸孔（図示されていない）に、前板６３の外側に突出した前方従動軸５７の両端部が差し込まれて支持され、支持アーム７１から外側に突出した前方従動軸５７の両端部にナット６４を螺合して、重合された先板６１の前端部と前板６３の後端部と支持アーム７１の下端部とを一緒に止めて、それら三者が図２２（ａ）の矢印Ａ−Ａ方向に回動して、前板６３が上方に起き上がってく字状に曲がったり、左に倒れたりするようにしてある。
【００３７】
対向する二つの支持アーム７１間には、押えスプロケット７３が回転自在に取り付けられた押え軸７２が取り付けられて、図２２（ａ）の押し具駆動機構５０の外周に巻かれた走行体２３が二つの押えスプロケット７３により上から下に押し付けられるようにしてある。
【００３８】
図２２（ａ）に示す様に、二枚の支持アーム７１の上端と、二枚の前板６３の先端に設けた係止リング７５との間にスプリング７６を張ってある。また、二枚の前板６３の外側下端寄りにはＬ字形のブラケット７７が取り付けられ、そのブラケット７７と筐体１４（図１）との間にスプリング７９が張られ、そのスプリング７９により二枚の前板６３の下端寄りが下方に引かれて押し具駆動機構５０の屈曲部９４の浮き上がりが阻止され、その屈曲部９４が搬送体１側に引き寄せられてその下を通過する被洗浄物３に圧接するようにしてある。
【００３９】
図２２（ａ）の押し具駆動機構５０の外周に巻き付ける走行体２３は図２１に示すものであり、搬送体１に使用された走行体２３と同じものである。この走行体２３は図２２（ａ）の押し具駆動機構５０の駆動回転体５３と前方従動回転体５９と後方従動回転体５６の外周に巻き付けて、駆動スプロケット５２、後方従動スプロケット５５、前方従動スプロケット５８の爪（歯）を走行体２３の空間部内に嵌入させ、走行体２３の両端部を連結して無端コンベア状の押し具２を形成してある。
【００４０】
この押し具２は駆動軸５１がモータ等の駆動体により回転させられると駆動スプロケット５２が回転し、その回転により走行体２３が回転し、それにつれて先方従動スプロケット５５及び前方従動スプロケット５８が回転し、走行体２３が連続回転可能としてある。
【００４１】
押し具２は図１に示す様に筐体１４内に収容されている。この場合、図１９の駆動軸２４を筐体１４内の下部前方に回転可能に取り付け、それ以外は筐体１４に固定せずにフリーの状態にしてある。この場合、そのままでは押し具２の出口側が降下して搬送体１の上に接触してしまう。この接触を防止するために図２４、図２５に示すように出口側下限調節機構８０を設けてある。この出口側下限調節機構８０は図２４のように押し具２の出口側側面に設けたガイド板６１から外側に係止突子８１を突設し、この突子８１を筐体フレーム８２から内側に突設されたＬ字状のストッパー８３により支持して、ガイド板６１（押し具２の出口側）がそれより下がらないようにしてある。前記ストッパー８３は図２４、図２５に示す筐体フレーム８２の縦長穴８４に昇降スライド可能に取付けて、ナット８６の螺合を緩めるとボルト８５が縦長穴８４に沿って上下にスライドして高さ調節できるようにしてある。
【００４２】
押し具２の駆動軸５１は図２５に示す様に軸受８７の内部に挿入されて円滑に回転できるようにしてあるが、駆動軸５１と軸受８７との間の摺動面に塵芥が噛み込まれて滑りが悪くなると、駆動軸５１が図２５の矢印Ｘ方向に回転するときに屈曲部９４が上方に浮き上がることがある。また、何らかの原因により屈曲部９４が上方に押し上げられることがある、この場合、屈曲部９４が上昇し過ぎると図３の様に押し具２の上方に配置されているノズル４に押し具２が接触するおそれがある。また、押し具２の入口側が上昇し過ぎて搬送体１との間の間隔が広くなり過ぎてしまい、押し具２の押し部６による被洗浄物３の押えが緩くなったり、押えがきかなくなったりすることがある。この上昇し過ぎを防止するために図２５に示す様に上動規制調節機構８８を設けてある。
【００４３】
前記上動規制調節機構８８は押し具２の支持アーム７１から上方に細長の係止材８９を突設し、その係止材８９の上端部に取付けた引きバネ９０を右下方（矢印Ｙ方向）に引き下げて、押し具２の屈曲部９４が浮き上がり過ぎるのを防止できる様にしてある。また、図２５の係止材８９が引きバネ９０により矢印Ｙ方向に強く引かれ過ぎないようにするために引き下げ規制調節機構９１をも設けてある。この引き下げ規制調節機構９１は筐体フレーム８２にボルト９２を貫通させ、そのボルト９２の先にナット９３をダブルに螺合し、その先に緩衝スプリング１００を被せてある。このような構造とすることにより引きバネ９０により矢印Ｙ方向に引き下げられた係止材８９がボルト９２の先端に当ると、係止材８９がそれ以上は引き下げられず、押し具２の屈曲部９４が必要以上に降下しないようにしてある。
【００４４】
図１に示す押し具２は導入部５を上方に起き上がらせてあり、また、導入部５の先端部７を搬送体１の先端部（搬送体先端部）８よりも搬送方向先方（図の右側）に位置をずらしてある。導入部５の側先端部７は搬送体先端部８と同じ位置にすることもできる。
【００４５】
搬送体１により搬送されてくる被洗浄物３が図１の押し具２との間を通過する場合、押し具２の動作は図２３（ａ）〜（ｃ）のようになる。
１．図２３（ａ）の押し具２の屈曲部９４と出口側の双方の下をほぼ同じ厚さの被洗浄物３が通過するときは、押し具２の押し部６がほぼ水平になる。
２．図２３（ｂ）の様に搬送体１と押し具２との間の間隔よりも厚い被洗浄物３が押し具２の屈曲部９４の下を通過すると、屈曲部９４が押し上げられて押し具２の導入部５と押し部６とがやや右下がりの緩い傾斜になる。
３．前記の厚い被洗浄物３が図２３（ｃ）のように押し具２の出口側の下に差し掛かって出口側が入口側よりも上方まで押し上げられると、押し具２は略く字状に屈曲する。
４．前記１〜３のいずれの場合も押し具２の屈折部上面は押えスプロケット７３により押し下げられて、走行体２３に常に張力（テンション）が付与される。
【００４６】
図１、図３の洗浄具４は搬送体１と押し具２との間の通路９５を通過する被洗浄物３に高圧洗浄液を噴射して洗浄するためのものであり、搬送体１の外側上方と押し具２の外側下方とに対向させて配置してある。この洗浄具４は図３に示す様に回転可能な給水パイプ９６から四本の分岐パイプ９７が分岐され、その先端に噴射ノズルが取り付けられており、給水パイプ９６が回転すると分岐パイプ９７及び噴射ノズルが回転して、被洗浄物３に万遍なく洗浄液が高圧で噴射されるようにしてある。前記分岐パイプ９７は、三本であってもよい。この洗浄具４も筐体１４内に回転可能に取り付けられている。
【００４７】
図１、図２の筐体１４内の搬送体１、押し具２、洗浄具４等は筐体１４で被覆されている。筐体１４の下半分は筐体１４内で被洗浄物３を洗浄した汚水や洗浄により被洗浄物３から落下した付着物等を回収する回収容器を兼ねており、筐体１４の底からは排水路１８を外部に突設し、それに排水用のホースを接続して、前記汚水や付着物がその排水路１８から排水ホース内を通って外部に排出されるようにしてある。
【００４８】
また、筐体１４内には被洗浄物３を導入するための入口１５と被洗浄物３を送り出す出口１６とが開口されており（図２）、更に、筐体１４の側面には被洗浄物３を横から搬送体１と押し具２との間に出し入れするための側面導入口１７（図２）が開口され、それが入口１５と出口１６に連通させてある。この側面導入口１７があると貝が取付けられている長いロープ２０を洗浄作業の前に側面導入口１７から搬送体１と押し具２との間に出し入れすることができ、一々入口１５から出口１６に通す必要が無いため、洗浄作業開始前の被洗浄物３のセッティングが容易になる。側面導入口１７の外側には多数本の繊維状のカーテン材を縦に配列した洗浄液飛散防止カーテン１９を設けて、高圧噴射される洗浄液が側面導入口１７から外側に飛散しないようにしてある。
【００４９】
図１、図３に示す様に搬送体１の手前外側には巻上げドラム１３が回転可能に設けられている。巻上げドラム１３は海中から引上げられる被洗浄物３を案内して、通路９５の入口にスムースに導入するためのものであり、円筒状の胴４７の軸方向両側に胴４７よりも径の大きな２枚の鍔４８を対向して設けてある。巻上げドラム１３もモータ等の駆動体で回転させる。この場合、巻上げドラム１３の回転速度を搬送体１の走行回転速度と同期させて、巻上げドラム１３の回転により海中から引上げられる被洗浄物３が搬送体１の入口にスムースに送り込まれるようにしてある。ちなみに、巻上げドラム１３と搬送体１との回転が同期せずに、巻上げドラム１３の回転速度が搬送体１の走行回転速度よりも速過ぎると、被洗浄物３がロープの場合はその送り込み量が多くなってロープが搬送体１の手前に溜って絡まり、逆に巻上げドラム１３の回転速度が搬送体１の走行回転速度よりも遅過ぎると、搬送体１によるロープの引込みが速くなり過ぎてロープ又は帆立貝２１を実際に係止するピンが切れて、帆立貝２１やその他の被洗浄物３が脱落してしまう虞れがある。搬送体１と巻上げドラム１３とを同期回転させるためには共通の駆動体で回転させるようにすればよい。この巻上げドラム１３も搬送体１、押し具２等が取り付けられている筐体フレームに取り付けられている。この場合、図１の様に筐体１４の入口１５よりも手前外側に取り付けて、本発明の洗浄装置を船上に搭載固定したときに海上に突出するようにしてある。
【００５０】
（使用例）
図示した実施形態の洗浄装置を用いて耳吊り養殖用のロープに帆立貝が係止されている被洗浄物を洗浄するには例えば次の様にする。
１．本発明の洗浄装置を船舶に搭載して固定する。
２．帆立貝２１が係止されているロープ２０を海中から引上げて巻上げドラム１３の外周に掛ける。
３．巻上げドラム１３の外周に掛けたロープ２０を筐体１４の側面に開口された側面導入口１７から搬送体１と押し具２との間に押込んでセットする。
４．モータの駆動により巻上げドラム１３、搬送体１、押し具２、被洗浄物案内体１２を同期回転又は被洗浄物案内体１２を巻上げドラム１３、搬送体１、押し具２より少し早く回転させて、搬送体１と押し具２との間に挟まれているロープ２０及び帆立貝２１を出口１６側に搬送する。
５．前記搬送中に、上下の洗浄具４から洗浄液を高圧で噴射して帆立貝２１及びロープ２０を上下から洗浄する。このとき、帆立貝２１に付着しているムラサキイガイとか他の生物、或は塵芥等も除去される。
６．洗浄されて奇麗になった帆立貝２１及びロープ２０は搬送体１と押し具２の出口から送り出され、前記巻上げドラム１３、搬送体１、押し具２と同期回転している被洗浄物案内体１２によりシュータ１０の上にガイドされ、帆立貝２１のついたロープ２０がシュータ１０から海中に投入される。
７．前記搬送中或は洗浄中にロープ２０から外れた帆立貝２１は、シュータ１０の底面に設けられた回収口４６から落下して回収され、回収口４６の先に配置された回収容器に回収される。
８．洗浄により除去された付着物及び洗浄後の汚水は筐体１４内に落下して自動的に回収され、筐体１４の底の排出路１８から筐体１４の外部に排出され、図示されていないフィルターで濾過する等して処理される。
【００５１】
前記使用例において、押し具２は図２３（ａ）に示す搬送体１と押し具２との間の通路９５を被洗浄物３が通過しないとき（通常時）とか、ほぼ同じ厚さの被洗浄物３が押し具２の屈曲部９４と出口側との両方を同時に通過するときは、押し具２の押し部６は略水平になっているが、図２３（ｂ）の様に通路９５の間隔（上下の間隔）よりも厚い被洗浄物３が押し具２の屈曲部９４の下を通過すると、屈曲部９４が押し上げられて被洗浄物３は屈曲部９４の下を円滑に通過する。このとき屈曲部９４が押し上げられて伸びた分だけ押し具２の押し部６が先方（図の右側）にスライドするため被洗浄物３は屈曲部９４の下を円滑に通過する。被洗浄物３が押し具２の出口側に来ると図２３（ｃ）の様に出口側が押し上げられて被洗浄物３がその下を円滑に通過する。搬送体１と押し具２の回転走行速度が同じ場合は両者の間を通過する被洗浄物３が円滑に走行するが、両者の回転走行速度を多少異なると両者の間を通過する被洗浄物３に加わる抵抗が大きくなって、被洗浄物３の汚れが落ち易くなる場合もあるので、搬送体１と押し具２の走行速度は任意に選択するのがよい。
【００５２】
（洗浄装置のその他の実施形態）
本発明の洗浄装置は、上記の各実施形態に記載の洗浄装置の形状、構成、配置等には限られない。
【００５３】
【発明の効果】
本件出願の第１の被洗浄物案内体には次のような効果がある。
（１）被洗浄物案内体が、回転可能な丸棒、丸パイプ等の回転体の外周面に、被洗浄物を外に送り出し易くするための補助体を設けたため、ロープを案内する際に、水で濡れている場合であってもロープが被洗浄物案内体から脱落することなく案内されるのでロープが絡まる等の不具合が減少して作業性が良くなり、貝等の養殖物の脱落も減って養殖の歩留まりが良くなる。
【００５４】
本件出願の第２の被洗浄物案内体には次のような効果がある。
（１）被洗浄物案内体に備えられた補助体が、複数枚の板状の羽根材が回転体の外周面周方向に所定間隔で放射状に設けられたもの、又は回転体の外周面全般に繊維材が多数本突設されたもの、又は回転体の外周面から外側に多数本の細長棒状体が突設されたもの、又はゴム、皮革等の摩擦材であるため、いずれの形態を取る場合でも十分な摩擦力や抵抗力を得ることができ、ロープを案内する際に滑ったりする不都合を減少させることができる。
（２）また、用いるロープや、ロープに吊って養殖する物に応じて最も効果的にロープを案内することができる形態のものを選択できるので、様々な種類のロープや養殖物に対してロープが絡まる等の不具合が減少して作業性が良くなり、貝等の養殖物の脱落も減って養殖の歩留まりが良くなるという効果を発揮しうる。
【００５５】
本件出願の第３の被洗浄物案内体には次のような効果がある。
（１）被洗浄物案内体が、２本の回転体が斜めに交差して組み合わせられたものであるため、左右両方向からのロープ案内が可能となるため、ロープが絡まる等の不都合は減少し、貝等の養殖物の脱落も減って養殖の歩留まりが良くなる。また、各回転体を斜めに交差させて配置するので、被洗浄物が回転体に当たり易くなるので、効果的に被洗浄物を案内できる。
【００５６】
本件出願の第４の被洗浄物案内体には次のような効果がある。
（１）被洗浄物案内体が、横向きに設けた回転体の軸方向両端側に他の回転体が縦向きに配置されたものであるため、横案内体と縦案内体の双方を備える場合には、横方向と縦方向の二方向からのロープ案内が可能となるため、ロープが絡まる等の不都合は減少し、貝等の養殖物の脱落も減って養殖の歩留まりが良くなる。
（２）また、横案内体、縦案内体のいずれか一方を備えることもでき、その場合は、用いるロープや養殖するものに応じて適した構成をとることによってロープが絡まる等の不具合を減少させて作業性が向上する、貝等の養殖物の脱落も減って養殖の歩留まりが良くなるという効果を発揮しうる。
【００５７】
本件出願の第５の被洗浄物案内体には次のような効果がある。
（１）回転体が偏心回転可能に設けられるので、偏心軸を中心に、被洗浄物案内体を揺動させながら回転させることができるため、ロープを案内する際に強弱をつけることができ、ロープが被洗浄物案内体の案内から脱落して絡まる等の不都合は減少し、貝等の養殖物の脱落も減って養殖の歩留まりが良くなる。
【００５８】
本件出願の第６の被洗浄物案内体には次のような効果がある。
（１）被洗浄物案内体が駆動体によって強制回転させられるので、ロープを強制的に出口へ案内することができ、途中でロープの搬送が止まってロープが絡まる等の不都合を減少させることができ、作業性が向上し、貝等の養殖物の脱落も減って養殖の歩留まりが良くなる。
【００５９】
本件出願の第１の洗浄装置には次のような効果がある。
（１）被洗浄物を巻き上げる巻上げドラムと、巻上げドラムで巻上げられた被洗浄物を挟んで搬送する搬送体と、搬送体で搬送中の被洗浄物に液体を噴射して被洗浄物を洗浄する洗浄具が筐体内に設けられ、筐体に巻上げドラムで巻上げられた被洗浄物が導入される入口と、洗浄具で洗浄済みの被洗浄物が送り出される出口とが形成され、筐体の入口と出口との間の側壁面に洗浄物を出し入れ可能な側面導入口が入り口と出口に連通して形成され、前記の被洗浄物案内体が筺体の出口よりも外側に設けられたため、搬送体と押し具との間の通路を通過する被洗浄物が滑りにくくなり、被洗浄物の送りがスムースになる。また、洗浄具による洗浄の際も、被洗浄物が洗浄具による高圧の洗浄液の噴射によって移動することを押さえることができ、効果的な洗浄が可能となる。
（２）筐体に被洗浄物が導入される入口と被洗浄物が送り出される出口とが形成され、筐体の入口と出口との間の側面に、被洗浄物を出し入れ可能な側面導入口を入り口と出口に連通して形成したので、ロープを引っ張った状態で、側面から洗浄装置に導入することができ、汚れたロープをいちいち入口から通す手間が省け、作業性が向上する。
【００６０】
本件出願の第２の洗浄装置には次のような効果がある。
側面導入口に多数本の繊維状のカーテン材を配列して、被洗浄物を洗浄する液体が側面導入口から外に飛散するのを防止する洗浄液飛散防止カーテンを設けたので、洗浄時の洗浄液や被洗浄体から洗い落された汚物が側面導入口から外に飛散することがなく、作業者は勿論、洗浄装置、作業場等が汚れない。また、繊維状のカーテン材を使用してあるのでカーテンが柔らかくなり、被洗浄物を側面導入口から搬送体と押し具との間に導入するときにカーテンが邪魔になることもない。
【図面の簡単な説明】
【図１】本発明の洗浄装置の一例を示す縦断側面図。
【図２】本発明の洗浄装置の外観斜視図。
【図３】本発明の洗浄装置の分解説明図。
【図４】被洗浄物案内体の異なる例を示す斜視図。
【図５】本発明の被洗浄物案内体の他の例を示す説明側面図。
【図６】本発明の被洗浄物案内体の他の例を示す説明側面図。
【図７】（ａ）は本発明の横案内体及び縦案内体の一例を示す断面図。（ｂ）は、（ａ）に示す横案内体及び縦案内体の斜視図。
【図８】図７に示す横案内体及び縦案内体の他の例を示す斜視図。
【図９】（ａ）は本発明の横案内体及び縦案内体の他例を示す断面図。（ｂ）は、（ａ）に示す横案内体及び縦案内体の斜視図。
【図１０】（ａ）は本発明の横案内体及び縦案内体の一例を示す断面図。（ｂ）は、（ａ）に示す横案内体及び縦案内体の斜視図。
【図１１】図１０に示す横案内体及び縦案内体の他の例を示す斜視図。
【図１２】（ａ）は本発明の横案内体及び縦案内体の一例を示す断面図。（ｂ）は、（ａ）に示す横案内体及び縦案内体の斜視図。
【図１３】（ａ）は本発明の横案内体及び縦案内体の一例を示す断面図。（ｂ）は、（ａ）に示す横案内体及び縦案内体の斜視図。
【図１４】図１３に示す横案内体及び縦案内体の他の例を示す斜視図。
【図１５】本発明の横案内体及び縦案内体の他の例を示す斜視図。
【図１６】（ａ）は本発明の横案内体及び縦案内体の一例を示す断面図。（ｂ）は、（ａ）に示す横案内体及び縦案内体の斜視図。
【図１７】（ａ）は本発明の横案内体及び縦案内体の一例を示す断面図。（ｂ）は、（ａ）に示す横案内体及び縦案内体の斜視図。
【図１８】本発明における押し具の一部切欠きの斜視図。
【図１９】本発明における搬送体の斜視図。
【図２０】本発明における搬送体駆動機構の分解説明図。
【図２１】（ａ）は本発明における走行体の平面図、（ｂ）は（ａ）の斜視図。
【図２２】（ａ）は本発明における押し具駆動機構の斜視図、（ｂ）は後方従動回転体のスライド機構の説明図。
【図２３】（ａ）〜（ｃ）は本発明の洗浄装置の使用時の異なる状態の説明図。
【図２４】本発明における出口側下限調節機構の正面説明図。
【図２５】本発明における上動規制調節機構と引き下げ規制調節機構の側面概略図。
【図２６】従来の貝付きロープの案内装置の一例を示す斜視図。
【符号の説明】
１  搬送体
２  押し具
３  被洗浄物
４  洗浄具
５  導入部
６  押し部
７  導入側先端部
８  搬送体先端部
９  出口
１０  シュータ
１１  回収受け具
１２  被洗浄物案内体
１３  巻上げドラム
１４  筐体
１５  筐体入口
１６  筐体出口
１７  側面導入口
１８  排出路
９８  横案内体
９９  縦案内体
【図１】
2004350530.tif 000003
【図２】
2004350530.tif 000004
【図３】
2004350530.tif 000005
【図４】
2004350530.tif 000006
【図５】
2004350530.tif 000007
【図６】
2004350530.tif 000008
【図７】
2004350530.tif 000009
【図８】
2004350530.tif 000010
【図９】
2004350530.tif 000011
【図１０】
2004350530.tif 000012
【図１１】
2004350530.tif 000013
【図１２】
2004350530.tif 000014
【図１３】
2004350530.tif 000015
【図１４】
2004350530.tif 000016
【図１５】
2004350530.tif 000017
【図１６】
2004350530.tif 000018
【図１７】
2004350530.tif 000019
【図１８】
2004350530.tif 000020
【図１９】
2004350530.tif 000021
【図２０】
2004350530.tif 000022
【図２１】
2004350530.tif 000023
【図２２】
2004350530.tif 000024
【図２３】
2004350530.tif 000025
【図２４】
2004350530.tif 000026
【図２５】
2004350530.tif 000027
【図２６】
2004350530.tif 000028